(57)【要約】【課題】  より簡易なキー操作で文書処理装置上での文書入力から文書出力までの一連の処理を実行させることを可能とすることを目的とする。【解決手段】文書処理装置は、一連の処理を実行するための設定を受け付け、該設定に含まれる文書の検索条件を検索サーバに送信し、検索サーバ側で文書の検索を行う。文書処理装置はさらに、検索結果に基づく文書データについて、編集、出力といった文書処理を行う。【選択図】図１
2008257599.tif 000002
【特許請求の範囲】
【請求項１】
複数の文書データを格納するファイルサーバと、前記ファイルサーバに格納された文書データの検索を行う検索サーバとに、ネットワークを介して接続される文書処理装置であって、
処理対象の第１の文書データの取得、編集及び出力に関する一連の処理を実行するための設定を受け付ける設定受付手段と、
前記一連の処理の実行指示を、前記文書処理装置のユーザーから受け付けるための実行指示受付手段と、
前記実行指示を受け付けた場合に、前記一連の処理のうち前記第１の文書データの取得処理を実行するための設定に含まれる、前記第１の文書データを前記ファイルサーバにおいて検索するための検索条件を、前記検索サーバに送信する送信手段と、
前記検索サーバにおける検索結果に基づき、前記第１の文書データを該検索サーバから受信する受信手段と、
受信した前記第１の文書データを、前記一連の処理のうち前記編集及び出力の処理を実行するための設定に基づいて処理する文書処理手段と
を備えることを特徴とする文書処理装置。
【請求項２】
前記ファイルサーバに格納された前記第１の文書データが、前記文書処理手段において処理できない第１の文書フォーマットに係るデータである場合に、
前記受信手段は、前記第１の文書フォーマットから前記文書処理手段において処理可能な第２の文書フォーマットに前記検索サーバにおいて変換された前記第１の文書データを受信することを特徴とする請求項１に記載の文書処理装置。
【請求項３】
前記検索条件には、前記第１の文書データについて、文書名に関する条件、作成日に関する条件、作成者に関する条件の少なくともいずれかが含まれることを特徴とする請求項１または２に記載の文書処理装置。
【請求項４】
前記一連の処理を実行するための設定には、該一連の処理を実行する条件が含まれ、
前記一連の処理を実行する条件が満たされない場合は、前記実行指示受付手段による実行指示の受付が抑制されることを特徴とする請求項１乃至３のいずれか１項に記載の文書処理装置。
【請求項５】
前記一連の処理を実行する条件には、単位期間当たりの実行回数、実行日、及び、実行者の少なくともいずれかに関する条件が含まれることを特徴とする請求項４に記載の文書処理装置。
【請求項６】
前記実行指示受付手段は、該実行指示を受け付けるための画面表示を行う画面表示手段と、該画面表示に対する操作を検知する操作検知手段とにより構成され、
前記実行指示の受付を抑制する場合は、該一連の処理の実行指示に対応する表示が前記画面表示から消去されるか、または、前記操作検知手段における該画面表示に対する操作の検知が無効化されることを特徴とする請求項４または５に記載の文書処理装置。
【請求項７】
前記画面表示手段は、前記検索サーバより前記第１の文書データを受信できない場合に、前記一連の処理の実行指示に対応する表示に関連づけて、エラーメッセージを表示することを特徴とする請求項６に記載の文書処理装置。
【請求項８】
複数の文書データを格納するファイルサーバと、請求項１乃至７のいずれかに記載の文書データを処理する文書処理装置と、ネットワークを介して接続される検索サーバであって、
前記文書処理装置から、前記ファイルサーバに格納されている前記複数の文書データから、前記文書処理装置の処理対象となる第１の文書データを検索するための検索条件を受信する受信手段と、
前記検索条件に従って、前記ファイルサーバにおける前記第１の文書データの検索を行う検索手段と、
検索された前記第１の文書データが、前記文書処理装置の処理可能な文書フォーマットを有するか否かを判定する判定手段と、
前記判定手段により、前記処理可能な文書フォーマットを有しないと判定された場合に、前記第１の文書データの文書フォーマットを前記文書処理装置が処理可能な文書フォーマットに変換するフォーマット変換手段と、
フォーマットが変換された前記第１の文書データを前記文書処理装置に送信する送信手段と、
を備えることを特徴とする検索サーバ。
【請求項９】
複数の文書データを格納するファイルサーバと、前記ファイルサーバに格納された文書データの検索を行う検索サーバとに、ネットワークを介して接続される文書処理装置の制御方法であって、
処理対象の第１の文書データの取得、編集及び出力に関する一連の処理を実行するための設定を受け付ける設定受付工程と、
前記一連の処理の実行指示を、実行指示受付手段を介して前記文書処理装置のユーザーから受け付けるための実行指示受付工程と、
前記実行指示を受け付けた場合に、前記一連の処理のうち前記第１の文書データの取得処理を実行するための設定に含まれる、前記第１の文書データを前記ファイルサーバにおいて検索するための検索条件を、前記検索サーバに送信する送信工程と、
前記検索サーバにおける検索結果に基づき、前記第１の文書データを該検索サーバから受信する受信工程と、
受信した前記第１の文書データを、前記一連の処理のうち前記編集及び出力の処理を実行するための設定に基づいて処理する文書処理工程と
を備えることを特徴とする文書処理装置の制御方法。
【請求項１０】
前記ファイルサーバに格納された前記第１の文書データが、前記文書処理工程において処理できない第１の文書フォーマットに係るデータである場合に、
前記受信工程では、前記第１の文書フォーマットから前記文書処理工程において処理可能な第２の文書フォーマットに前記検索サーバにおいて変換された前記第１の文書データを受信することを特徴とする請求項９に記載の文書処理装置の制御方法。
【請求項１１】
前記検索条件には、前記第１の文書データについて、文書名に関する条件、作成日に関する条件、作成者に関する条件の少なくともいずれかが含まれることを特徴とする請求項９または１０に記載の文書処理装置の制御方法。
【請求項１２】
前記一連の処理を実行するための設定には、該一連の処理を実行する条件が含まれ、
前記一連の処理を実行する条件が満たされない場合は、前記実行指示受付工程における実行指示の受付が抑制されることを特徴とする請求項９乃至１１のいずれか１項に記載の文書処理装置の制御方法。
【請求項１３】
前記一連の処理を実行する条件には、単位期間当たりの実行回数、実行日、及び、実行者の少なくともいずれかに関する条件が含まれることを特徴とする請求項１２に記載の文書処理装置の制御方法。
【請求項１４】
前記実行指示受付手段は、該実行指示を受け付けるための画面表示を行う画面表示手段と、該画面表示に対する操作を検知する操作検知手段とにより構成され、
前記実行指示の受付を抑制する場合は、該一連の処理の実行指示に対応する表示が前記画面表示から消去されるか、または、前記操作検知手段における該画面表示に対する操作の検知が無効化されることを特徴とする請求項１２または１３に記載の文書処理装置の制御方法。
【請求項１５】
前記画面表示手段は、前記検索サーバより前記第１の文書データを受信できない場合に、前記一連の処理の実行指示に対応する表示に関連づけて、エラーメッセージを表示することを特徴とする請求項１４に記載の文書処理装置の制御方法。
【請求項１６】
複数の文書データを格納するファイルサーバと、請求項１乃至７のいずれかに記載の文書データを処理する文書処理装置と、ネットワークを介して接続される検索サーバの制御方法であって、
前記文書処理装置から、前記ファイルサーバに格納されている前記複数の文書データから、前記文書処理装置の処理対象となる第１の文書データを検索するための検索条件を受信する受信工程と、
前記検索条件に従って、前記ファイルサーバにおける前記第１の文書データの検索を行う検索工程と、
検索された前記第１の文書データが、前記文書処理装置の処理可能な文書フォーマットを有するか否かを判定する判定工程と、
前記判定工程において、前記処理可能な文書フォーマットを有しないと判定された場合に、前記第１の文書データの文書フォーマットを前記文書処理装置が処理可能な文書フォーマットに変換するフォーマット変換工程と、
フォーマットが変換された前記第１の文書データを前記文書処理装置に送信する送信工程と、
を備えることを特徴とする検索サーバの制御方法。
【請求項１７】
コンピュータを請求項１乃至７のいずれかに記載の文書処理装置として機能させるためのコンピュータプログラム。
【請求項１８】
コンピュータを請求項８に記載の検索サーバとして機能させるためのコンピュータプログラム。
【発明の詳細な説明】
【技術分野】
【０００１】
本発明は、
【背景技術】
【０００２】
近年、デジタル複合機は、オフィスネットワーク環境内や家庭内ＬＡＮに接続するためのネットワークインタフェースを備え、ホストコンピュータやサーバコンピュータ等の種々の情報処理装置と接続されて利用されることが多くなってきている。
【０００３】
プリンタやデジタル複合機においても、大容量の記憶媒体としてハードディスクが内蔵されている。そこで、ハードディスク内に受信文書やスキャン文書を蓄積し、必要に応じてこれらの文書を取み出し、印刷や、ＬＡＮ上に接続されたホストコンピュータに電子文書として送信するといった利用形態が普及している。
【０００４】
よって、デジタル複合機は、単に原稿台から原稿を読み取って印刷を実行するためのコピー操作だけでなく、入力文書の選択、文書編集方法の選択、出力方法の選択などの数多くの設定操作を操作パネル上で実行可能とする必要がある。
【０００５】
この背景の下、特許文献１には、一連のキー操作手順を座標入力装置の領域と対応させて登録し、その後該キー操作をワンタッチで出力できるようにした操作手順一括登録方式が開示されている。
【０００６】
また、特許文献２には、文書データに対して施す複数の処理の連携を定義する指示書の作成、およびその指示書を指示書管理サーバに保存する記載がある。複数の処理の連携をジョブフローと呼ぶ。また、複数の処理のそれぞれはネットワーク接続されたサービス処理装置で実行され、連携処理サーバが指示書に従って各処理装置に処理を依頼する。ジョブフローは指示書に従って、各サービス処理装置の連携により実行されるとの記載がある。
【０００７】
しかしながら、特許文献１においては、一連の操作手順をプログラムキーもしくは座標入力装置上に領域(GUIボタン)への登録・表示・実行・編集方法について開示されているだけである。よって、例えば、操作手順登録の際に入力文書が存在しない、あるいは日付付の文書名のように名称の一部が変化する場合などの操作手順登録時に確定できない操作は登録できない。従って、１回の操作で、入力から出力までの処理手順を実行できる機能を提供することができない問題があった。
【特許文献１】特公平６−６６０４８号公報
【特許文献２】特開２００４−２８７８６０号公報
【発明の開示】
【発明が解決しようとする課題】
【０００８】
このように、従来は、操作手順一括登録の登録方法が柔軟性に欠け、より簡易なキー操作で文書処理装置上での文書入力から文書出力までの一連の処理を実行させることが困難であった。
【０００９】
本発明は、上述の問題に鑑みてなされたもので、より簡易なキー操作で文書処理装置上での文書入力から文書出力までの一連の処理を実行させることを可能とすることを目的とする。
【課題を解決するための手段】
【００１０】
上記課題を解決するための本発明は、複数の文書データを格納するファイルサーバと、前記ファイルサーバに格納された文書データの検索を行う検索サーバとに、ネットワークを介して接続される文書処理装置であって、
処理対象の第１の文書データの取得、編集及び出力に関する一連の処理を実行するための設定を受け付ける設定受付手段と、
前記一連の処理の実行指示を、前記文書処理装置のユーザーから受け付けるための実行指示受付手段と、
前記実行指示を受け付けた場合に、前記一連の処理のうち前記第１の文書データの取得処理を実行するための設定に含まれる、前記第１の文書データを前記ファイルサーバにおいて検索するための検索条件を、前記検索サーバに送信する送信手段と、
前記検索サーバにおける検索結果に基づき、前記第１の文書データを該検索サーバから受信する受信手段と、
受信した前記第１の文書データを、前記一連の処理のうち前記編集及び出力の処理を実行するための設定に基づいて処理する文書処理手段と
を備えることを特徴とする。
【００１１】
上記課題を更に解決するための検索サーバは、複数の文書データを格納するファイルサーバと、上記文書データを処理する文書処理装置と、ネットワークを介して接続される検索サーバであって、
前記文書処理装置から、前記ファイルサーバに格納されている前記複数の文書データから、前記文書処理装置の処理対象となる第１の文書データを検索するための検索条件を受信する受信手段と、
前記検索条件に従って、前記ファイルサーバにおける前記第１の文書データの検索を行う検索手段と、
検索された前記第１の文書データが、前記文書処理装置の処理可能な文書フォーマットを有するか否かを判定する判定手段と、
前記判定手段により、前記処理可能な文書フォーマットを有しないと判定された場合に、前記第１の文書データの文書フォーマットを前記文書処理装置が処理可能な文書フォーマットに変換するフォーマット変換手段と、
フォーマットが変換された前記第１の文書データを前記文書処理装置に送信する送信手段と、
を備えることを特徴とする。
【発明の効果】
【００１２】
本発明によれば、より簡易なキー操作で文書処理装置上での文書入力から文書出力までの一連の処理を実行させることが可能となる。
【発明を実施するための最良の形態】
【００１３】
以下、添付する図面を参照して、発明の実施形態をより詳細に説明する。
【００１４】
図１は、本発明の実施形態に対応する、文書出力制御システム１０の構成例を示す図である。
【００１５】
該文書出力制御システム１０は、以下のように構成される。即ち、文書処理装置としてのデジタル複合機（以下、マルチファンクション装置）１００と、サーバ装置としての検索サーバ兼文書変換装置１１０及びファイルサーバ１２０とが、ＬＡＮ１０００を介して所定のプロトコルで通信可能に接続される。また、ＬＡＮ１４０には、検索サーバ兼文書変換装置１１０やファイルサーバ１２０と同等のハードウエアを備える複数の情報処理装置（例えばホストコンピュータ）１３１や１３２が接続される。なお、以下では、複数の情報処理装置を代表して、情報処理装置１３１を例として説明するが、同様の処理は、当然に他の情報処理装置にも同様に適用可能である。
【００１６】
マルチファンクション装置１００は、情報処理装置１３１との通信により、該情報処理装置１３１から送信される出力文書を自装置が内蔵する文書ボックス１０２に同時に複数保持（蓄積）することが可能に構成されている。また、情報処理装置１３１から送信された出力文書を、一般的なプリンタのように直接紙に出力することもできる。さらに、マルチファンクション装置１００は、内蔵のＦＡＸユニット（不図示）を用いて電話回線（ＦＡＸ）１５０に接続され、該電話回線（ＦＡＸ）１５０を介して情報処理装置１３１からの受信文書をＦＡＸ文書として送信可能に構成されている。
【００１７】
さらに、マルチファンクション装置１００は、ＬＣＤ付タッチパネル等で構成された操作パネル部１０１を備え、後述の図４ａ乃至図４ｊに示すような操作画面が該操作パネル部１０１上に表示される。マルチファンクション装置１００のユーザーは、表示されたＧＵＩキーを操作して、たとえば、マルチファンクション装置１００から直接に文書ボックス１０２の文書データを取り出して印刷することができる。また、ファイルサーバ１２０から文書データを受信したり、ファイルサーバ１２０に文書データを送信したりすることができる。
【００１８】
次に、図２ａを参照して、発明の実施形態に対応するマルチファンクション装置１００のハードウェア構成の一例を説明する。
【００１９】
図２ａにおいて、メインコントローラ部２０１は、マルチファンクション装置１００全体の制御を司る。操作部２０２は、オペレータがマルチファンクション装置１００を操作する。この操作部２０２には、メインコントローラ部２０１と通信を行うためのＩ／Ｏ部２０３、及び、オペレータに情報を提供したり、仮想的なスイッチ含む画面表示を行う画面表示手段としてのＬＣＤ部２０４が含まれる。また、ＬＣＤ部２０４上に表示された仮想的なスイッチの操作を検知するための操作検知手段としてのタッチパネル部２０５、及び、オペレータが操作を行うために物理的に配置されたスイッチ部２０６も含まれる。
【００２０】
ＨＤＤ部２０７は、印刷データやプログラムを記憶したり、データのキャッシュエリアとして利用される。また、マルチファンクション装置１００のボックス機能が利用される場合には、文書データの格納領域として文書データを格納する。このＨＤＤ部２０７には、後述する図５のフローチャートに対応する制御プログラム（プログラムコード）や、電子メール送受信用のソフトウェアプログラムも記憶される。画像メモリ部２０８は、印刷画像を展開したり、加工するために用いられる。
【００２１】
拡張バス２０９は、マルチファンクション装置１００の機能を拡張するために利用されるバスとして機能する。ＮＩＣ（Ｎｅｔｗｏｒｋ Ｉｎｔｅｒｆａｃｅ Ｃａｒｄ）部２１０は、拡張バス２０９を利用して装置内に追加され、マルチファンクション装置１００にＬＡＮ１４０を介した通信機能を提供するための送受信手段として機能する。このＮＩＣ部２１０は、ＬＡＮコントローラ２１１とトランス部２１２とを含む。ＬＡＮコントローラ２１１は、ＬＡＮ１４０上を流れる通信パケットを監視し、自装置に関連する情報のみを内部に取込むと共に、自装置内で作成されたパケットをＬＡＮ１４０へ送るための制御を行う。トランス部２１２は、ＬＡＮコントローラ２１１と電圧変換を行い、マルチファンクション装置１００とＬＡＮ１４０との間での物理的な通信を実現するために機能する。
【００２２】
印刷部２１３は、印刷用紙に文書データの画像を印刷し出力する処理を行うための文書処理手段として機能する。印刷部２１３は、出力処理部２１４、ＰＷＭ部２１５、及び、プリンタ部２１６を備える。出力処理部２１４は、メインコントローラ部２０１から送られてくる画像データを、印刷用紙に印刷するのに適したデータに補正するために、ガンマ変換、エッジ強調、スムージングなどの処理を行う。ＰＷＭ部２１５は、出力処理後の画像データをレーザビーム駆動用の信号に変換する。プリンタ部２１６は、レーザビームに基づいて画像を形成すべくプリンタエンジンを制御して印刷処理を行う。
【００２３】
排紙部２１７は、印刷部２１３によって印刷処理により印刷用紙上に印刷出力された文書を、マルチファンクション装置１００の外部に排出する処理を行う。排紙部２１７は、Ｉ／Ｏ部２１８、コントローラ部２１９、用紙センサ部２２０、給紙モータ駆動部２２１、トレイモータ駆動部２２２、及び、用紙パス制御部２２３を備えている。Ｉ／Ｏ部２１８は、メインコントローラ部２０１と通信するための入出力インタフェースとして機能する。コントローラ部２１９は排紙部２１７の制御を司る。用紙センサ部２２０は、印刷用紙の搬送状態を監視する。給紙モータ駆動部２２１は、印刷用紙を給紙するための給紙モータを駆動する。トレイモータ駆動部２２２は、排紙トレイを駆動する。用紙パス制御部２２３は印刷用紙の搬送方向を制御する。
【００２４】
次に、図２ｂを参照して、発明の実施形態に対応する検索サーバ兼文書変換装置１１０及びファイルサーバ１２０のような、サーバ装置のハードウェア構成の一例を説明する。
【００２５】
図２ｂにおいて、ＣＰＵ２３１は、ＨＤ（ハードディスク）２３３に格納されているＯＳ、アプリケーションプログラム等を実行し、ＲＡＭ２３２にプログラムの実行に必要な情報、ファイル等を一時的に格納する制御を行う。ＲＡＭ２３２は、ＣＰＵ２３１の主メモリ、ワークエリア等として機能する。ＨＤ２３３は、アプリケーションプログラム、ドライバプログラム、ＯＳ、制御プログラム、本実施形態に対応する処理を実行するための処理プログラム等を格納している。
【００２６】
ディスプレイ２３４は、操作部２３９から入力したコマンドや、外部から取得した情報等を表示するための表示手段である。ネットワークインターフェイス（以下、Ｉ／Ｆという）２３５は、ＬＡＮ１４０に接続するための通信インターフェイスである。ＲＯＭ２３６には、基本Ｉ／Ｏプログラム等のプログラムを記憶する。
【００２７】
外部記憶ドライブ２３７は、メディア２３８に記憶されたプログラム等を本サーバ装置内にロードすることができる。記録媒体としてのメディア２３８は、所定のプログラムおよび関連データを格納する。操作部２３９は、本サーバ装置のオペレータが、指示入力を行うためのユーザインタフェースであり、キーボードやマウスで構成される。システムバス２４０は、装置内のデータの流れを司るものである。
【００２８】
次に、本実施形態に対応する操作手順登録処理の一例を説明する。図３は、発明の実施形態に対応する操作手順登録処理の一例を示すフローチャートである。なお、図３のフローチャートに対応する処理は、ＨＤＤ部２０７に格納された処理プログラムをメインコントローラ部２０１の不図示のＣＰＵにおいて実行し、マルチファンクション装置１００全体の動作を制御することによって実現される。また、図４ａ乃至図４ｈは、該操作手順登録処理において、マルチファンクション装置１００の操作部２０２のＬＣＤ部２０４に表示される表示画面の例を示す図である。
【００２９】
以下、図３のフローチャートと、図４ａ乃至図４ｈに示す表示画面例とを参照して、説明を行う。
【００３０】
図３において、まず、ステップＳ３０１では初期画面を操作部２０２のＬＣＤ部２０４に表示する。この初期画面の一例は、図４ａに示す通りである。図４ａにおいて、画面４００には、タブ４０１から４０４が画面上部に表示される。各タブは、マルチファンクション装置１００において実行しようとする機能に対応する。コピータブ４０１は、コピー機能を実行する際に選択される。送信／ＦＡＸタブ４０２は、ファクシミリ送信機能を実行する際に選択される。ボックスタブ４０３は、ボックス機能を実行する際に選択される。定型フロータブ４０４は、登録された操作手順に従って所定の文書処理を実行したり、操作手順の変更、新規登録に関する設定受付を実行したりする際に選択される。
【００３１】
図４ａでは、この定型フロータブ４０４が選択された場合の画面表示例を示している。この場合、領域４０５には「マイボタン（hanako）」として、ユーザー名と関連づけた表示が行われる。また、ボタン４０６及び４０７は、処理対象の文書データ（第１の文書データ）の取得処理（入力）、編集処理、出力処理に関する、ボタン毎の一連の文書処理を実行する指示を受け付けるための実行ボタンである。また、新規登録・編集ボタン４０８は、操作手順が登録済のボタン４０６や４０７の操作手順の編集や、新たな操作手順の登録を行うためのボタンである。
【００３２】
図４ａの画面表示において、ステップＳ３０２では、新規登録・編集ボタン４０８の操作を受け付けたか否かを判定する。もし、当該ボタンが操作された場合には（ステップＳ３０２において「ＹＥＳ」）、ステップＳ３０３に移行する。一方、別のボタンが操作された場合には（ステップＳ３０２において「ＮＯ」）、ステップＳ３１２に移行する。ステップＳ３１２では、操作を受けつけたボタンに応じた処理を実行して、本処理を終了する。たとえば、実行ボタン４０６または４０７の操作を受けつけた場合には、文書データの取得処理（入力処理）、編集処理、出力処理に関する対応する一連の文書処理を実行し、処理を終了する。
【００３３】
ステップＳ３０３では、新規登録・編集画面をＬＣＤ部２０４に表示する。この新規登録・編集画面の一例は、図４ｂに示す通りである。図４ｂにおいて、画面４１０の領域４１１には、画面４１０の種類と、操作方法とを説明する表示がなされる。ボタン４１２と４１３は登録済の操作手順の編集処理を実行する場合に操作されるボタンである。新規登録４１４は、新たな操作手順を新規登録する際に操作されるボタンである。
【００３４】
なお、以降において、実質的に同一機能を果たす要素（たとえば、コピータブや次画面に移行する「次へ」ボタン等）には共通の参照番号を付し、発明の理解のために特に必要な場合を除いて説明を省略している。
【００３５】
図４ｂのような表示において、ステップＳ３０４では、新規登録ボタン４１４が操作されたか否かを判定する。もし、新規登録ボタン４１４が操作された場合には（ステップＳ３０４において「ＹＥＳ」）、ステップＳ３０５に移行する。一方、他のボタンが操作された場合には（ステップＳ３０４において「ＮＯ」）、ステップＳ３１３に移行する。ステップＳ３１３では、操作を受けつけたボタンに応じた処理を実行する。たとえば、実行ボタン４０６や４０７に対する操作を受けつけた場合、該ボタンと関連づけられて登録されている操作手順について新規登録を行う。その後、ステップＳ３１５に移行する。
【００３６】
ステップＳ３０５では、新規登録画面をＬＣＤ部２０４に表示し、登録ボタン名の入力を受け付ける。この新規登録画面の一例は、図４ｃに示す通りである。図４ｃにおいて、画面４２０の領域４２１には、画面４２０の種類を説明する表示がなされる。領域４２２は、ボタン名称を入力するための入力領域であり、領域４２３は、該ボタンに関連するコメントを入力するための入力領域である。各領域に対する文字入力は、タッチパネル２０５を用いて、入力文字を選択して行うことができる。ボタン４２４は、入力内容の取消を行い、画面４００に戻る場合に選択されるボタンである。ボタン４２５は、ボタン名称の入力を完了して、次の表示画面に移行する際に選択されるボタンである。
【００３７】
図４ｃの表示状態で、ボタン４２５が操作されると、ステップＳ３０６において文書処理内容選択画面をＬＣＤ部２０４に表示する。この文書処理内容選択画面の一例は、図４ｄに示す通りである。図４ｄにおいて画面４３０の領域４３１は、文書処理として「入力」を選択する場合の、選択対象を示す。ここでは、「原稿読取」、「ボックス文書」、「リモート文書」の３つの選択ボタンが示されている。このうち、リモート文書ボタン４３４が選択される場合を、以降で説明する。このリモート文書ボタン４３４は、入力文書として、リモートの装置に保存された文書データを取得する機能を実行するための設定受付を行う際に選択される。
【００３８】
また、領域４３２は、文書処理として「編集」を選択する場合の選択対象を示す。ここでは「文書結合」、「ページ削除」、「ページ入替」の３つの選択ボタンが示されている。ここで、文書結合は、たとえば、複数の文書データを結合して、１つの文書データを生成する文書処理である。ページ削除は、文書データ中の特定のページを削除する文書処理である。ページ入替は、文書データ中のページ順を入れ替える文書処理である。なお、これらの選択ボタンのいずれかが選択された場合には、対応する編集処理を実行するための設定が行われることとなる。本実施形態では、この設定入力に関する説明は省略する。
【００３９】
さらに、領域４３３は、文書処理として「出力」を選択する場合の選択対象を示す。ここでは「ボックス保存」、「印刷」、「送信／ＦＡＸ」の３つの選択ボタンが示されている。ボックス保存とは、マルチファンクション装置１００内のＨＤＤ部２０７に文書データを保存する文書処理である。印刷は、印刷部２１３を利用して、文書データの印刷出力する文書処理である。送信／ＦＡＸは、電子メールまたはファイル転送（ＦＴＰ）／ファイル共有（ＳＭＢ）による送信機能、またはをＦＡＸ機能を用いる送信処理である。例えばＦＡＸ機能を用いる場合は、文書データをファクシミリ送信用のデータに変換し、電話回線１５０を介して宛先にファクシミリ送信することになる。これらの選択ボタンのいずれかが選択された場合には、対応する出力処理を実行するための設定が行われることとなる。本実施形態では、この設定入力に関する説明は省略する。
【００４０】
ステップＳ３０７では、画面４３０において、ボタン操作を受けつけたか否かを判定する。もし、次画面への移行ボタン４２５の操作を受けつけた場合には（ステップＳ３０７において「次へ」）、ステップＳ３１１に移行する。また、入力領域４３１に示されるリモート文書ボタン４３４の操作を受け付けた場合には（ステップＳ３０７において「リモート文書ボタン４３４」）、ステップＳ３０８に移行する。さらに、他のボタンの操作を受けつけた場合には（ステップＳ３０７において「その他」）、ステップＳ３１４に移行する。ステップＳ３１４では、操作を受けつけたボタンに応じた処理を実行する。たとえば、入力、編集、出力の操作手順に関する設定入力を受け付ける。その後、ステップＳ３０６に戻って、文書処理内容選択画面表示を行う。即ち、図４ｄの画面表示において、以下のステップ３０８からＳ３１０までの処理を含めて、新規登録すべき文書処理内容が選択され、それぞれに関する設定入力が行われる。これにより、文書データの取得（入力）、編集、出力に関する一連の文書処理の内容が決定される。
【００４１】
ステップＳ３０８では、リモート文書に関する情報の入力を受け付ける。このとき、ＬＣＤ部２０４には図４ｅに示すような画面を表示する。図４ｅにおいて、領域４４１には、画面４４０の種別を示す表示がなされる。タブ４４２から４４４は、リモート文書の種類を示すタブである。本実施形態においてリモート文書には、大きく、「電子メール」、「ファイル」及び「サーバ文書」の３種類が含まれる。このうち、本実施形態では、サーバ文書（外部サーバに格納された文書データのこと）をリモート文書として利用する場合について説明する。
【００４２】
そこで、画面４４０では、サーバ文書タブ４４４が選択された状態を示している。領域４４５は、サーバにおけるデータベース管理ソフトウェアを設定する領域であり、「ロータスノーツ（登録商標）」が選択されている。領域４４６は、サーバを一意に特定するための識別情報が入力される領域であり、本実施形態では、サーバ名を入力することとしている。領域４４７は、目的とする文書データが格納されるデータベース名（ＤＢ名）が入力される領域であり、本実施形態では、「新製品売り上げ管理」データベースが指定されている。
【００４３】
領域４４８は、リモート文書を特定するための情報を入力する領域である。本実施形態では、文書名の指定方法として、ボックス４５１に示すような複数の方法を選択可能とする。なお、選択肢としては、文書名を指定入力する方法、ビューを印刷する方法、条件を指定して選択する方法、実行時に手動選択する方法がある。画面４４０では、このうち条件を指定して選択する方法が選択されている。
【００４４】
領域４４９は、該サーバのデータベースにアクセスするためのユーザ名が入力される領域であり、領域４５０は該ユーザ名に対応するパスワードが入力される領域である。
【００４５】
ステップＳ３０９では、図４ｅの画面４４０において、ボタン操作を受けつけたか否かを判定する。もし、次画面への移行ボタン４２５の操作を受けつけた場合には（ステップＳ３０９で「次へ」）、ステップＳ３０６に戻って、図４ｄの画面を再度表示する。一方、領域４４８において文書名として「条件を指定して選択」が選択された場合には（ステップＳ３０９において「条件指定選択」）、ステップＳ３１０に移行して、条件を指定するための画面を表示する。この画面の一例は、図４ｆに示すようになる。画面４６０において、条件を指定するための５つの選択欄４６１乃至４６５が表示される。選択欄４６１は、文書名に関する条件として、文書名の部分一致を条件とする場合に選択される。選択欄４６１を選択する場合には、具体的に部分一致条件を入力欄４６６に入力することができる。図４ｆでは、一例として「＊＊支店売上日報？？月」が入力された場合が示されている。ここで、"＊"は任意文字数の文字列と見なされ、また"？"は、任意の１文字とみなされる。よって、この例では"支店売上日報"という文字列および間に任意の２文字が含まれ、後に"月"という文字を含む文書データを選択するように設定されている。
【００４６】
選択欄４６２は、図４ｅで指定したＤＢ名を有するデータベース内における最新の文書データのみを選択することを条件とする場合に選択される。また、選択欄４６３は、文書データの作成日に関する条件として日付を指定して選択することを条件とする場合に選択される。この場合、ボタン４６７を操作してカレンダー表示をＬＣＤ部２０４上で行い、特定の日付を選択することができる。これにより、特定の日付で作成された文書データを指定することができる。さらに、選択欄４６４は、文書データの作成者に関する条件として、作成者を指定して選択することを条件とする場合に選択される。この場合、ボタン４６８を操作して、作成者の候補であるユーザー一覧をＬＣＤ部２０４上に表示させ、所望のユーザーを作成者として選択することができる。なお、ユーザー名には、個々のユーザー名の他、ユーザーが属する部門名を示す部門ＩＤが含まれてもよい。選択欄４６５は、選択欄４６１から４６４までの全てを選択する場合に選択される。
【００４７】
画面４６０における入力が完了し、ＯＫボタン４６９が操作された場合、ステップＳ３０８に戻って図４ｅに示す画面を表示する。
【００４８】
ステップＳ３０７においてボタン４２５の操作を受けつけたと判定され、ステップＳ３１１に移行した場合、実行条件選択画面をＬＣＤ部２０４に表示する。この実行条件選択画面の一例は、図４ｇに示す通りである。図４ｇにおいて画面４７０には、実行条件に関する選択欄４７１から４７５が表示される。
【００４９】
選択欄４７１は、単位期間当たりの実行回数に関する実行頻度についての条件を設定する欄であって、この欄をチェックし、実行頻度を指定欄４７６で指定することができる。図４ｇでは、実行頻度として「１日１回」を選択した場合を示しているが、これに限定されない。たとえば、「１時間に１回」、「２日に１回」、「１週間に５回」など、任意の単位時間と実行回数とを設定可能である。また、選択欄４７２は、実行ボタンに対応する登録済の操作手順が実行できない場合に、画面４００等での表示において、該実行ボタンを非表示とする（隠す）設定を行う欄である。たとえば、指定日以外は画面４００等での表示対象から除外したい場合などに、選択することができる。
【００５０】
選択欄４７３は、登録済の操作手順を実行するための実行ボタンの表示を、指定日のみ行う設定をする欄である。この設定により、指定日以外は実行ボタンが表示されず、結果として操作手順を実行できなくなるため、実行日を実行条件に含めることができる。ここでは、カレンダ４７７を利用して日付の指定を行うことができる。選択欄４７４は、実行者の条件として代理人指定を設定するための欄である。代理人は、ボタン４７８を操作してユーザー一覧を表示させ、一覧表示されたユーザーの中から選択することができる。選択欄４７５は、実行ボタンの操作により、登録された操作を実行した場合の履歴情報（実行ログ）を残す設定をする欄である。なお、ログの取り扱いについては、ボタン４７９を利用して選択することができる。図４ｇでは、取得したログを実行後に画面表示する設定がなされている場合を示している。
【００５１】
登録ボタン４８０は、以上の入力過程において入力された内容に基づいて操作手順を登録し、実行ボタンにより実行可能とする際に操作される。なお、図４ｃ、図４ｅ乃至図４ｇを利用して入力された情報は、操作実行情報として該ボタン名称と関連づけて、ＨＤＤ部２０７に格納される。
【００５２】
ステップＳ３１５では、該登録ボタン４８０が操作されたか否かに基づいて、登録を行うかどうかを判定する。もし、登録を行う場合には（ステップＳ３１５において「ＹＥＳ」）、ステップＳ３０１に戻る。一方、取消ボタン４２４が操作された場合には（ステップＳ３１５において「ＮＯ」）、本処理を終了する。
【００５３】
登録の後、ステップＳ３０１に戻って初期画面を表示した場合、登録処理の結果に基づいて、図４ｈに示すような画面表示がなされる。画面４９０において、登録済の操作手順を実行するための（実行指示受付用の）新たな実行ボタン４９１が表示される。この実行ボタン４９１を操作すると、以上において登録された操作手順がステップＳ３１２において実行されることとなる。
【００５４】
以上により、所望の操作手順を１つの実行ボタンにより実行させるための操作手順登録処理を行うことができる。
【００５５】
次に、図５を参照して、発明の実施形態に対応する操作の実行処理の一例を説明する。図５は、本発明に係るにマルチファンクション装置１００における文書処理手順の一例を示すフローチャートである。この文書処理は、ＨＤＤ部２０７に格納された処理プログラムをメインコントローラ部２０１の不図示のＣＰＵにおいて実行し、マルチファンクション装置１００全体の動作を制御することによって実現される。
【００５６】
まず、ステップＳ５０１において、図４ｈに示すような初期画面を、操作部２０２のＬＣＤ部２０４に表示する。なお、図４ｇの画面において選択欄４７２が選択された上で操作内容が登録されている場合、操作を実行できないボタンの画面上での表示が抑制される。例えばボタン４９１について操作を実行できない場合には、図４ｉに示すように、該ボタン４９１が画面４９０上から消去される。これにより、ボタン４９１に関する操作の実行指示の受付が抑制される。
【００５７】
なお、操作が実行できない場合とは、選択欄４７１が選択され、１日１回のみ実行可能と設定された場合に、既に操作が実行されていた場合や、指定日が設定されていた場合に、その日が指定日に該当しない場合等がある。また、実行ボタン４９１を表示しない形態のみならず、所謂グレーアウト表示した上で、タッチパネル部２０５における操作の検知を無効化してもよい。
【００５８】
次に、ステップＳ５０２では、画面上に表示された実行ボタンの操作に基づき実行指示を受けつける。たとえば、実行ボタン４９１の操作を受け付けることができる。次に、ステップＳ５０３では、操作を受け付けた実行ボタンに対応してＨＤＤ部２０７に格納されている操作実行情報を取得する。
【００５９】
次に、ステップＳ５０４では、マルチファンクション装置１００において予め設定された設定情報に基づいて、処理対象の文書データ（第１の文書データ）を検索するための検索サーバの指定があるか否かを判定する。当該設定情報は、ユーザー或いはマルチファンクション装置１００の管理者により予め設定されＨＤＤ部２０７に格納され、必要に応じてメインコントローラ部２０１に読み出される。
【００６０】
もし、検索サーバの指定があると判定された場合には（ステップＳ５０４において「ＹＥＳ」）、ステップＳ５０５に移行する。一方、検索サーバの指定がない場合は（ステップＳ５０４において「ＮＯ」）、ステップＳ５０９に移行する。
【００６１】
ステップＳ５０５では、指定された検索サーバとしての検索サーバ兼文書変換装置１１０に、文書データの検索条件を送信する。この検索条件には、図４ｅ及び図４ｆで入力された以下の情報が含まれる。まず、文書データを検索するための情報として、該文書データを格納するファイルサーバ１２０のサーバ名及びデータベース名、検索対象の文書データの文書名、更には、操作を実行するユーザーのユーザー名及びパスワードが含まれる。さらに、文書データを特定するための条件として以下が含まれる。「文書名の部分一致か否か、ある場合は部分一致条件」、「最新の文書のみ選択するか否か」、「日付指定があるか否か、ある場合はその日付」、「作成者指定があるか否か、ある場合は作成者名」などである。
【００６２】
次に、ステップＳ５０６では、送信した検索条件に従い、検索サーバ兼文書変換装置１１０から応答があったか否かを判定する。もし、応答が得られた場合には（ステップＳ５０６において「ＹＥＳ」）、ステップＳ５０７に移行する。一方、応答が得られない場合には（ステップＳ５０６において「ＮＯ」）、ステップＳ５０９に移行する。
【００６３】
ステップＳ５０７では、検索サーバ兼文書変換装置１１０からの応答に、検索目的の文書データが存在する旨の通知が含まれているか否かを判定する。もし、該通知が含まれている場合には（ステップＳ５０７において「ＹＥＳ」）、ステップＳ５０８に移行する。ステップＳ５０８では、検索目的の文書データを検索サーバ兼文書変換装置１１０から受信する。その後、ステップＳ５１２に移行する。一方、検索目的の文書データが存在しない旨の通知が含まれている場合には（ステップＳ５０７において「ＮＯ」）、ステップＳ５１４に移行して、エラーメッセージ表示を行う。このときのエラーメッセージ表示の一例は、図４ｊに示す通りである。図４ｊにおいて、ボタン４９１に関連して、エラー表示ボックス４９２が表示され、処理対象の文書データ（「ｘｘｘｘ文書」）が取得できない旨のエラーメッセージが表示される。この後、本処理を終了する。
【００６４】
次に、ステップＳ５０９では、マルチファンクション装置１００とファイルサーバ１２０との間で、ＬＡＮ１４０を介して通信を行い、上記の検索条件に従って文書データの検索を行う。続くステップＳ５１０において、検索目的の文書データがファイルサーバ１２０内に存在するか否かを判定する。もし、該文書データが存在する場合には（ステップＳ５１０において「ＹＥＳ」）、ステップＳ５１１に移行する。ステップＳ５１１では、検索文書を処理対象の文書データとしてファイルサーバ１２０から取得して、ステップＳ５１２に移行する。また、文書データが存在しない場合には（ステップＳ５１０において「ＮＯ」）、ステップＳ５１４に移行してエラーメッセージ表示を行った後、本処理を終了する。
【００６５】
ステップＳ５１２では、実行ボタンに関連づけられた編集設定及び出力設定の情報をＨＤＤ部２０７から読み出す。続くステップＳ５１３では、読み出した編集設定及び出力設定の情報に基づいて、文書結合、ページ削除、ページ入替などの編集処理や、ボックス保存、印刷、ファックス送信等の出力処理を実行する。
【００６６】
以上により、実行ボタンに関連づけられた文書データの検索条件に従って、外部のサーバに文書検索を実行させ、該検索結果に基づき文書データを取得して、操作設定に基づく編集処理や出力処理を実行することができる。
【００６７】
次に、図５のマルチファンクション装置１００側の処理に対応する、検索サーバとしての検索サーバ兼文書変換装置１１０における処理について説明する。図６は、検索サーバ兼文書変換装置１１０における処理の一例を示すフローチャートである。図６に対応する処理は、検索サーバ兼文書変換装置１１０内のＨＤ２３３に格納された対応する処理プログラムを、処理手段としてのＣＰＵ２３１が実行することによって実現される。
【００６８】
まず、ステップＳ６０１で、マルチファンクション装置１００から検索条件の情報を受信すると、ステップＳ６０２に移行する。ステップＳ６０２では、該検索条件に従いファイルサーバ１２０において文書データの検索を行い、検索目的の文書データがファイルサーバ１２０に存在するか否かを判定する。もし、該文書データが存在しない場合には（ステップＳ６０２において「ＮＯ」）、ステップＳ６０８に移行する。ステップＳ６０８では、マルチファンクション装置１００に対して、目的の文書データが存在しない旨の通知を含む応答（エラー応答）を行う。
【００６９】
一方、該文書データが存在する場合は（ステップＳ６０２において「ＹＥＳ」）、ステップＳ６０３に移行する。ステップＳ６０３では、ファイルサーバ１２０から、検索された文書データを取得する。次にステップＳ６０４に移行して、取得した文書データの文書フォーマットがマルチファンクション装置１００で処理可能な文書フォーマット（第２の文書フォーマット）であるか否かを判定する。検索サーバ兼文書変換装置１１０は、マルチファンクション装置１００が対応する文書フォーマット（第２の文書フォーマット）のリストを有しており、該リストの内容に従って、ここでの判定を行う。もし、マルチファンクション装置１００で対応していないページ記述言語で記述されたような、処理可能でない文書フォーマット（第１の文書フォーマット）の場合には（ステップＳ６０４において「ＮＯ」）、ステップＳ６０５に移行する。ステップＳ６０５では、現在の文書フォーマットをマルチファンクション装置１００で処理可能な文書フォーマットに変換する処理を実行して、ステップＳ６０６に移行する。また、マルチファンクション装置１００で処理可能な文書フォーマットである場合には（ステップＳ６０４において「ＹＥＳ」）、ステップＳ６０６に移行する。
【００７０】
ステップＳ６０６では、マルチファンクション装置１００に対して、検索文書が存在する旨の通知を含む応答（文書検出応答）を行う。その後、マルチファンクション装置１００から文書の送信要求が来た場合には、ステップＳ６０７において、変換後の文書、或いは、未変換の文書をマルチファンクション装置１００に送信して処理を終了する。
【００７１】
以上の本実施形態によれば、入力文書を選択するために検索条件を設定可能とすることで、ユーザによる文書の手動選択が不要となり、自動的に条件に合致する文書を特定して定型操作フローを実行可能な仕組みを提供することが可能となる。これにより、従来に比べより一括操作手順の簡略化が図れ、操作効率の向上が図れる。
【００７２】
また、操作手順の登録内容として、実行条件を設定可能としたことで、入力文書選択の検索条件の設定とあわせて、登録済みの操作手順が実行できない場合には、ユーザに実行不可状態を示すことで、誤操作を防止することにも役立つ。それと同時に、有効な操作ボタンのみを表示させることで、限られた表示領域を有効的に活用できるといった効果を得られる。
【００７３】
さらには、入力文書の検索条件をネットワーク上のサーバに送信し、検索条件に合致する文書をマルチファンクション装置で印刷可能な文書フォーマットに変換して、マルチファクション装置で入力文書として受信することができる。これにより、マルチファンクション装置で扱う文書フォーマットにより柔軟性を持たせることが可能となり、ユーザ操作によって予め情報処理装置上で文書フォーマットを変換する必要がなくなる。即ち、フォーマット変換して入力文書としてマルチファンクション装置に送信するというユーザー側の負担となっていた手順が自動化され、さらなる定型業務効率化が図れる。
【００７４】
なお、本発明は上記実施形態に限定されるものではなく、本発明の趣旨に基づき種々の変形（各実施形態の有機的な組み合わせを含む）が可能であり、それらを本発明の範囲から排除するものではない。一例を挙げれば、例えば本実施形態では、検索サーバと文書変換装置を一つの情報処理装置で処理される例で説明した。しかし、検索サーバと文書変換装置、さらにはファイルサーバは、それぞれ一つあるいは複数の情報処理装置で構成されても本発明の範囲から排除されるものではない。
【００７５】
［その他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００７６】
また、本発明の目的は、前述した機能を実現するソフトウェアのコンピュータプログラムコードを記録した記憶媒体を、システムに供給し、そのシステムがコンピュータプログラムコードを読み出し実行することによっても達成される。この場合、記憶媒体から読み出されたコンピュータプログラムコード自体が前述した実施形態の機能を実現し、そのコンピュータプログラムコードを記憶した記憶媒体は本発明を構成する。また、そのコンピュータプログラムコードの指示に基づき、コンピュータ上で稼働しているオペレーティングシステム（ＯＳ）などが実際の処理の一部または全部を行い、その処理によって前述した機能が実現される場合も含まれる。
【００７７】
さらに、以下の形態で実現しても構わない。すなわち、記憶媒体から読み出されたコンピュータプログラムコードを、コンピュータに挿入された機能拡張カードやコンピュータに接続された機能拡張ユニットに備わるメモリに書込む。そして、そのコンピュータプログラムコードの指示に基づき、その機能拡張カードや機能拡張ユニットに備わるＣＰＵなどが実際の処理の一部または全部を行って、前述した機能が実現される場合も含まれる。
【００７８】
本発明を上記記憶媒体に適用する場合、その記憶媒体には、先に説明したフローチャートに対応するプログラムコードが格納されることになる。
【図面の簡単な説明】
【００７９】
【図１】発明の実施形態に対応する文書出力制御システムの構成例を示すブロック図である。
【図２ａ】発明の実施形態に対応するマルチファンクション装置１００のハードウェア構成の一例を示す図である。
【図２ｂ】発明の実施形態に対応するサーバ装置のハードウェア構成の一例を示す図である。
【図３】発明の実施形態に対応する操作手順登録処理の一例を示すフローチャートである。
【図４ａ】発明の実施形態に対応する、操作部２０２に表示される初期画面の一例を示す図である。
【図４ｂ】発明の実施形態に対応する、操作部２０２に表示される新規登録・編集画面の一例を示す図である。
【図４ｃ】発明の実施形態に対応する、操作部２０２に表示される新規登録画面の一例を示す図である。
【図４ｄ】発明の実施形態に対応する、操作部２０２に表示される文書処理内容選択画面の一例を示す図である。
【図４ｅ】発明の実施形態に対応する、操作部２０２に表示される、リモート文書に関する情報入力を受け付けるための画面の一例を示す図である。
【図４ｆ】発明の実施形態に対応する、操作部２０２に表示される、条件を指定するための画面の一例を示す図である。
【図４ｇ】発明の実施形態に対応する、操作部２０２に表示される、実行条件選択画面の一例を示す図である。
【図４ｈ】発明の実施形態に対応する、操作部２０２に表示される、登録処理の結果を反映した初期画面の一例を示す図である。
【図４ｉ】発明の実施形態に対応する、操作部２０２に表示される、操作を実行できない場合ボタンについてエラーメッセージを表示する初期画面の一例を示す図である。
【図４ｊ】発明の実施形態に対応する、操作部２０２に表示される、操作を実行できないボタンの表示が行われない初期画面の一例を示す図である。
【図５】本発明の実施形態に対応するマルチファンクション装置１００における操作の実行処理の一例を示すフローチャートである。
【図６】本発明の実施形態に対応する検索サーバ兼文書変換装置１１０における処理の一例を示すフローチャートである。
【符号の説明】
【００８０】
１００  マルチファンクション装置
１０１  操作パネル部
１０２  文書ボックス
１１０  検索サーバ兼文書変換装置
１２０  ファイルサーバ
１３１、１３２  情報処理装置
１４０  ローカルエリアネットワーク（ＬＡＮ）
１５０  電話回線
【図１】
2008257599.tif 000003
【図２ａ】
2008257599.tif 000004
【図２ｂ】
2008257599.tif 000005
【図３】
2008257599.tif 000006
【図４ａ】
2008257599.tif 000007
【図４ｂ】
2008257599.tif 000008
【図４ｃ】
2008257599.tif 000009
【図４ｄ】
2008257599.tif 000010
【図４ｅ】
2008257599.tif 000011
【図４ｆ】
2008257599.tif 000012
【図４ｇ】
2008257599.tif 000013
【図４ｈ】
2008257599.tif 000014
【図４ｉ】
2008257599.tif 000015
【図４ｊ】
2008257599.tif 000016
【図５】
2008257599.tif 000017
【図６】
2008257599.tif 000018